(57)【要約】【課題】一の流体供給源から供給管を介して供給される流体を複数の分岐管に均等に分配することのできる分流器を提供すること。【解決手段】中間部を構成する円筒部１ａ、その上端から半球状に膨らむ上半球部１ｂ及び円筒部１ａの下端から半球状に垂下する下半球部１ｃで構成した分流容器１と、上半球部１ｂの最上部に配設した一つの供給口２と、円筒部１ａの中間の高さ位置に９０度の角度間隔で配設した４個の分配口３、３．．．と、下半球部１ｃの最下部に配したドレン排水口４とで構成する。分流容器１は、その内部も上下端が半球状に膨らむ円筒状内部空間となっている。分流容器１の円筒部１ａの内径は、その断面積が４個の分配口３、３．．．の流路断面積の合計の概ね３．５倍程度となるように設定する。【選択図】　図１
2004019720.tif 000002
【特許請求の範囲】
【請求項１】
流体を供給する供給管から複数の分岐管に流体を分配供給するための分流器であって、分流容器と、該分流容器に供給管を接続すべく構成した一つの供給口と、該分流容器に分岐管を接続すべく構成した複数の分配口とからなる分流器に於いて、
前記分流容器を、その最大径部で、前記複数の分配口の流路断面積合計の２倍以上の断面積を有し、かつその上下部が半球状に膨らむ円筒状内部空間を備えた容器に構成し、
前記供給口を、前記円筒状内部空間の半球状に膨らむ上部中央部に連通させるべく、前記分流容器の上部中央に配設し、
前記複数の分配口を、前記円筒状内部空間の周側部の同一高さ位置に相互に定角度間隔で連通させるべく、該分流容器の周側部の同一高さ位置に相互に定角度間隔で配設した分流器。
【請求項２】
流体を供給する供給管から複数の分岐管に流体を分配供給するための分流器であって、分流容器と、該分流容器に供給管を接続すべく構成した一つの供給口と、該分流容器に分岐管を接続すべく構成した複数の分配口とからなる分流器に於いて、
前記分流容器を、その最大径部で、前記複数の分配口の流路断面積合計の２倍以上の断面積を有し、かつ上方に向かって半球状に膨らむと共に下部が平坦な底部となっている部分球状内部空間を備えた容器に構成し、
前記供給口を、前記部分球状内部空間の半球状に膨らむ上部中央部に連通させるべく、前記分流容器の上部中央に配設し、
前記複数の分配口を、前記部分球状内部空間の下端周側部に相互に定角度間隔で連通させるべく、該分流容器の下端周側部に相互に定角度間隔で配設した分流器。
【発明の詳細な説明】
【０００１】
【発明の属する技術分野】
本発明は、一の供給管から供給される流体を複数の分岐管に均等に分配することができる分流器、特に、植物への水や農薬の散布の際に、一のタンク等から供給される水や農薬を複数の分岐管に均等に分配して、その端部に接続してある散水用又は農薬散布用の各ノズルに均等に供給することのできる分流器に関するものである。
【０００２】
【従来の技術】
植物への散水若しくは農薬の散布等の際は、一のタンクから供給管を介して供給される水又は農薬類を複数の分岐管に分配し、それぞれの先端に配した散水又は農薬散布用のノズルを通じて散水作業又は農薬散布作業が行われる場合が多い。このような場合に、今までのところ、複合的な継手を利用して供給管を複数の分岐管に接続して流体を分配することが行われていた。
【０００３】
しかしこのような複合継手を用いた分流手段では、それだけでは、供給管を介して供給される水又は農薬等の流体を複数の分岐管に均等に分配することはできない。そのままでは、流体の分配量は各分岐管毎に不均衡となり、各々の供給対象に対する供給量にバラツキが生じることとなる。そのため、このような複合継手を用いた分流手段では、分岐管の途中に流量調整用の弁機構を挿入し、これによって各分岐管に於ける流量を調整し、分岐管相互に於ける流体供給量の均衡を図ることが行われているものであった。
【０００４】
【発明が解決しようとする課題】
本発明は、以上のような従来の分流技術に於ける問題に鑑み、一の流体供給源から供給管を介して供給される流体を複数の分岐管に均等に分配することのできる分流器を提供することを解決の課題とする。
【０００５】
【課題を解決するための手段】
本発明の１は、流体を供給する供給管から複数の分岐管に流体を分配供給するための分流器であって、分流容器と、該分流容器に供給管を接続すべく構成した一つの供給口と、該分流容器に分岐管を接続すべく構成した複数の分配口とからなる分流器に於いて、
前記分流容器を、その最大径部で、前記複数の分配口の流路断面積合計の２倍以上の断面積を有し、かつその上下部が半球状に膨らむ円筒状内部空間を備えた容器に構成し、
前記供給口を、前記円筒状内部空間の半球状に膨らむ上部中央部に連通させるべく、前記分流容器の上部中央に配設し、
前記複数の分配口を、前記円筒状内部空間の周側部の同一高さ位置に相互に定角度間隔で連通させるべく、該分流容器の周側部の同一高さ位置に相互に定角度間隔で配設した分流器である。
【０００６】
即ち、本発明の分流器の要点は、前記分流容器の円筒状内部空間に於いて、前記供給口を該円筒状内部空間の上部中央部に連通すべく配し、かつ複数の分配口を該円筒状内部空間の周側部の同一高さ位置に相互に定角度間隔で連通させるべく配した点にあり、結局、前記供給口に対して、前記各分配口を相互に均等な位置関係に配したものであるということになる。
【０００７】
先に述べたように、前記供給口は、流体供給源から流体を供給するための一の供給管を分流容器に接続するための接続手段であり、また前記分配口は該供給管で供給される流体を複数の供給対象に分配する分岐管を分流容器に接続するための接続手段である。それ故、以上の供給口に対する各分配口相互の位置関係は、前記分流容器の円筒状内部空間に於いて、前記供給管による流体の供給部位に対して、複数の分岐管による分配流体の各受給部位が相互に均等な位置関係に設定されていることを意味するものと言うことができるものである。
【０００８】
また前記分流容器はその内部を上下部が半球状に膨らむ円筒状内部空間に構成したものであるため、前記供給口をその上部中央部に配設し、前記複数の分配口を周側部に配設することで、容易に、前記のような相互の位置関係を確保することができることとなったものである。
【０００９】
そしてこのような本発明の分流器によれば、該円筒状内部空間を、その最大径部が分配口の流路断面積の２倍以上の断面積を有するものとしたため、該円筒状内部空間内では、流体の供給動作が行われる場合に、その流速が、供給口及び分配口の流速に比して極めて遅いものとなる。そのため、このとき、該円筒状内部空間内の流体の圧力は供給口及び分配口のそれと比べて高いものとなる。
【００１０】
他方、前記分流容器の円筒状内部空間は既述のように構成され、かつ供給管の接続する供給口はその上部中央部に、複数の分岐管を接続する分配口は周側部に相互に定角度間隔で同一高さ位置に、それぞれ配したものであるため、該分配口から流出する流体の圧力は、流速の発生により、該円筒状内部空間内のそれより低くはなるが、分配口相互の間では均一なものとなる。勿論流速も相互に均一となる。そのためそれらの分配口からこれらの各々に接続する分岐管に均等量の流体を分配して供給することができることとなる。
【００１１】
以上のように、分流容器の円筒状内部空間の最大径部を、これに開口する複数の分配口の流路断面積合計の２倍以上の断面積を有するそれに構成したため、各分配口に於ける流体の速度と該円筒状内部空間内の流体の速度との差が大きく、かつ圧力差も大きいものとなり、該分流容器に供給された流体を複数の分岐管に均等に分配流出させることができるものである。
【００１２】
これに対して、分流容器の円筒状内部空間の最大径部をこれに開口する複数の分配口の流路断面積合計の２倍未満の断面積とした場合は、各分配口に於ける流体の速度と該円筒状内部空間内の流体の速度との差が小さく、かつ圧力差も小さいものとなり、微細な混乱要因が大きく作用して、流体を各分岐管に対して均等に分配することが困難となるものである。
【００１３】
また該円筒状内部空間の最大径部の断面積が、これに開口する複数の分配口の流路断面積合計の９倍を越える程になると、流体の供給を一旦停止した後、再開する際に、該円筒状内部空間の圧力状態が安定するのに、例えば、数秒程度の時間がかかるようになる。これ以下の断面積程度であれば、このような一時停止の後の再開に際して、速やかに該円筒状内部空間内の圧力状態が安定し、短時間の内に各分岐管に均等に安定した流体の供給が可能となるものである。
【００１４】
従って円筒状内部空間の最大径部の断面積は、分配口の流路断面積合計の２倍以上である必要はあるが、それ以上の何倍程度にするかは、その作業目的等に照らし合わせて決定すればよい。作業の性質上、再開時の円筒状内部空間内の圧力状態の安定までの時間に余裕がある場合には、前記倍率を高くしても良いし、そうではない場合は、２倍以上９倍未満の適当な倍率を選ぶのが適当である。
【００１５】
本発明の２は、流体を供給する供給管から複数の分岐管に流体を分配供給するための分流器であって、分流容器と、該分流容器に供給管を接続すべく構成した一つの供給口と、該分流容器に分岐管を接続すべく構成した複数の分配口とからなる分流器に於いて、
前記分流容器を、その最大径部で、前記複数の分配口の流路断面積合計の２倍以上の断面積を有し、かつ上方に向かって半球状に膨らむと共に下部が平坦な底部となっている部分球状内部空間を備えた容器に構成し、
前記供給口を、前記部分球状内部空間の半球状に膨らむ上部中央部に連通させるべく、前記分流容器の上部中央に配設し、
前記複数の分配口を、前記部分球状内部空間の下端周側部に相互に定角度間隔で連通させるべく、該分流容器の下端周側部に相互に定角度間隔で配設した分流器である。
【００１６】
本発明の２の分流器は、本発明の１と比べると、分流容器の形状が異なり、そのためその内部のそれも本発明の１のそれとは異なる部分球状内部空間となるものであるが、前記供給管を接続する供給口と、複数の分岐管を接続する各分配口との位置関係は同様になるようになっており、かつ圧力条件も均等であり、それ故、同様に使用し、全く同様の作用効果を得ることができる。
【００１７】
【発明の実施の形態】
本発明の実施の形態を実施例に基づき図面を参照しながら詳細に説明する。
【００１８】
＜実施例１＞
図１及び図２は本発明を適用した実施例１の分流器を示しており、図１（ａ）はその正面図、図１（ｂ）はその平面図、図２はタンクから４本の散布ノズルに農薬を分配して供給する農薬散布装置に実施例１の分流器を使用した使用例を示す配管図である。
【００１９】
この実施例１の分流器は、図１（ａ）、（ｂ）に示すように、中間部を構成する円筒部１ａ、その上端から半球状に膨らむ上半球部１ｂ及び該円筒部１ａの下端から半球状に垂下する下半球部１ｃで構成した分流容器１と、その上半球部１ｂの最上部に配設した一つの供給口２と、円筒部１ａの中間の高さ位置に９０度の角度間隔で配設した４個の分配口３、３．．．と、下半球部１ｃの最下部に配したドレン排水口４とで構成したものである。
【００２０】
前記分流容器１は、全体としては、上下部が半球状に膨らむ短円筒状であり、その内部も上下端が半球状に膨らむ円筒状内部空間となっている。そのため、供給口２及び分配口３、３．．．は、それぞれを前記のように配設すると、該供給口２に対して、前記４個の分配口３、３．．．相互はいずれも均等な位置関係となる。また該分流容器１の円筒部１ａの内径は、その断面積が該４個の分配口３、３．．．の流路断面積の合計の概ね３．５倍程度となるように設定したものである。
【００２１】
また前記供給口２、分配口３、３．．．及びドレン排水口４は、図１（ａ）に示すように、ネジ継手に構成されており、それぞれ供給管５、分岐管６又は袋ナット７と着脱自在に結合できるようになっている。
前記ドレン排水口４は、通常は、図１（ａ）に示すように、袋ナット７を螺合して閉じられており、清掃のためその他の排水の必要のあるときにこれを取り外して、直接に排水することができるようになっている。なお、特別な場合は、ここにホース等を接続して液体を取り出すようにする用法も可能である。
【００２２】
このような分流器を、この実施例１では、農薬散布装置の一部に用いた例を説明する。
図２に示すように、液状の農薬を収納したタンク８と前記分流容器１の供給口２とを途中にポンプ９を挿入した供給管５で接続する。該供給管５の途中で、該分流容器１の供給口２との間には復流管１０の一端を接続し、かつその他端を前記タンク８に接続する。該復流管１０の途中には復流量を調節するバルブ１１を挿入する。
【００２３】
図２に示すように、前記分流容器１の分配口３、３．．．にはそれぞれ分岐管６を接続し、かつ各分岐管６、６．．．の先端には各々農薬散布用の散布ノズル１２を接続する。各分岐管６、６．．．の途中には開閉弁１３を挿入してある。
【００２４】
前記供給管５の途中に挿入したポンプ９、復流管１０の途中に挿入したバルブ１１及び分岐管６、６．．．の途中に挿入した開閉弁１３は、コントローラ１４によって制御されるようになっている。
【００２５】
このような農薬散布装置に於いて、前記タンク８中の農薬はポンプ９を動作させると、供給管５を通じて分流容器１に供給され、その供給口２から円筒状内部空間内に供給される。このとき、復流管１０を通じてバルブ１１によって調節された一部の農薬がタンク８中に戻され、これによって供給管５による分流容器１への農薬の供給量が調節されるようになっている。
【００２６】
前記分流容器１に於ける供給口２と分配口３、３．．．との位置関係は、既述の通りであり、供給口２に対して４個の分配口３、３．．．が互いに均等な位置関係にあり、かつ該分流容器１の内部空間は上下に半球状に膨らむ円筒状内部空間となっているため、この空間内に流入した農薬は、分配口３、３．．．相互の間で、同等の圧力となる。また該分流容器１の内部空間である円筒状内部空間は、その円筒部の断面積を４個の分配部３、３．．．の流路断面積の合計の約３．５倍になるように設定したため、その内部の流速は、該分配部３、３．．．及び供給口２に於ける流速と比べて極端に遅いものとなる。
【００２７】
分流容器１の円筒状内部空間に供給された農薬は、その相対的に高い圧力により分配口３、３．．．を通じて分岐管６、６．．．に押し出される。分配口３、３．．．付近では流出する農薬による流速の発生で、その部分の圧力は低くなるが、先に述べたように、分配口３、３．．．相互は、前記供給口２に対して均等な位置関係にあり、均等な圧力条件下にあるため、それらの分配口３、３．．．から各分岐管６、６．．．に均等に農薬が分配され、各散布ノズル１２、１２．．．からそれぞれ散布対象に対して適量の農薬が散布されることになる。
【００２８】
なお全開閉弁１３、１３．．．を閉じ、前記散布ノズル１２、１２．．．による農薬散布を一時停止し、その後、また該開閉弁１３、１３．．．を開いて農薬散布を開始する場合、この実施例１の分流容器１は、その内部の円筒状内部空間の円筒部の断面積を４個の分配口３、３．．．の流路断面積の合計の約３．５倍になるように設定したため、１秒以内で速やかにその内部の圧力状態が安定し、各分岐管６、６．．．に均等で安定した農薬の供給が可能となるものである。
【００２９】
＜実施例２＞
図３は本発明を適用した実施例２の分流器を示しており、図３（ａ）はその正面図、図３（ｂ）はその平面図である。
【００３０】
この実施例２の分流器は、図３（ａ）、（ｂ）に示すように、上部に膨らむ半球状を僅かに超える部分球状に構成した分流容器２１と、その最上部に配設した一つの供給口２２と、分流容器２１の下端周側に相互に９０度の角度間隔で配設した４個の分配口２３、２３．．．と、分流容器２１の底部中央に配したドレン排水口２４とで構成したものである。
【００３１】
前記分流容器２１は、図３（ａ）に示すように、上方に膨らむほぼ半球状であるが、完全な半球状ではなく、下端周側に分配口２３、２３．．．を配設する都合上、僅かに半球を越える部分球状になっているものである。該分流容器２１は、その内部も上方に膨らむ半球状を僅かに越える部分球状内部空間となっている。そのため、供給口２２及び分配口２３、２３．．．は、それぞれを前記のように配設すると、該供給口２２に対して、該４個の分配口２３、２３．．．相互がいずれも均等な位置関係となる。また該分流容器２１の下部の内径は、この実施例２でも、その断面積が該４個の分配口２３、２３．．．の流路断面積の合計の概ね３．５倍程度となるように設定した。
【００３２】
また前記供給口２２、分配口２３、２３．．．及びドレン排水口２４は、図３（ａ）、（ｂ）に示すように、ネジ継手に構成されており、それぞれ、前二者は、前記実施例１と同様に、図２に示した農薬散布装置の供給管５又は分岐管６と着脱自在に結合できるようになっている。また後者のドレン排水口２４は袋ナット２７と着脱自在に螺合できるようになっている。該ドレン排水口２４は、通常は、図３（ａ）に示すように、前記袋ナット２７を螺合して閉じた状態になっており、清掃のためその他の排水の必要のあるときにこれを取り外して、直接に排水することができるようになっている。なお、実施例１のそれと同様に、特別な場合は、ここにホース等を接続して液体を取り出すようにする用法も可能である。
【００３３】
このような実施例２の分流器は、実施例１のそれと同様に、農薬散布装置の一部等に用いて農薬等の流体の分配に有用に使用することができる。
図２に示した農薬散布装置の一部にこの実施例２の分流器を実施例１のそれに代えて用いる場合は、後者のそれと全く同様に、その供給管５を分流器２１の供給口２２に接続し、前記分配口２３、２３．．．にはそれぞれ分岐管６を接続する。
【００３４】
このような農薬散布装置に於いて、前記タンク８中の農薬は、ポンプ９を動作させると、供給管５を通じて分流容器２１に供給され、その供給口２２から部分球状内部空間に供給される。前記のように、このとき、供給管５による分流容器２１への農薬の供給量は、バルブ１１を途中に備えた復流管１０を通じた復流量によって調節される。
【００３５】
前記分流容器２１に於ける供給口２２と分配口２３、２３．．．との位置関係は、既述の通りであり、供給口２２に対して４個の分配口２３、２３．．．が互いに均等な位置関係にあり、かつ該分流容器２１の内部空間は上方に膨らむほぼ半球状の部分球状内部空間となっているため、この空間内に流入した農薬は、分配口２３、２３．．．相互の間で同等の圧力となる。また該分流容器２１の内部空間である部分球状内部空間の下部を、その断面積が、４個の分配口２３、２３．．．の流路断面積の合計の約３．５倍になるように設定したため、その内部の流速は該分配口２３、２３．．．及び供給口２２に於ける流速と比べて極端に遅いものとなる。
【００３６】
分流容器２１の部分球状内部空間に供給された農薬は、その相対的に高い圧力により分配口２３、２３．．．を通じて分岐管６、６．．．に押し出される。分配口２３、２３．．．付近では流出する農薬による流速の発生で、その部分の圧力は低くなるが、先に述べたように、分配口２３、２３．．．相互は、前記供給口２２に対して均等な位置関係にあり、均等な圧力条件下にあるため、それらの分配口２３、２３．．．から各分岐管６、６．．．に均等に農薬が分配され、各散布ノズル１２、１２．．．からそれぞれ散布対象に対して適量の農薬が散布されることになる。
【００３７】
なお全開閉弁１３、１３．．．を閉じ、前記散布ノズル１２、１２．．．による農薬散布を一時停止し、その後、また該開閉弁１３、１３．．．を開いて農薬散布を開始する場合、この実施例２の分流容器２１は、実施例１のそれと同様に、その内部の部分球状内部空間の下部の断面積を４個の分配口２３、２３．．．の流路断面積の合計の約３．５倍になるように設定したため、１秒以内で速やかにその内部の圧力状態が安定し、各分岐管６、６．．．に均等に安定した農薬の供給が可能となるものである。
【００３８】
【発明の効果】
本発明の１の分流器によれば、供給口から供給された流体を分配口を通じて分岐管に均等に分配供給することができる。
【００３９】
本発明の２分流器によれば、本発明の１のそれと同様に使用し、かつ同様の効果を得ることができる。
【図面の簡単な説明】
【図１】（ａ）は実施例１の分流器の正面図。
（ｂ）は実施例１の分流器の平面図。
【図２】タンクから４本の散布ノズルに農薬を分配して供給する農薬散布装置に実施例１の分流器を使用した使用例を示す配管図。
【図３】（ａ）は実施例２の分流器の正面図。
（ｂ）は実施例２の分流器の平面図。
【符号の説明】
１　　分流容器
１ａ　円筒部
１ｂ　上半球部
１ｃ　下半球部
２　　供給口
３　　分配口
４　　ドレン排水口
５　　供給管
６　　分岐管
７　　袋ナット
８　　タンク
９　　ポンプ
１０　復流管
１１　バルブ
１２　散布ノズル
１３　開閉弁
１４　コントローラ
２１　分流容器
２２　供給口
２３　分配口
２４　ドレン排水口
【図１】
2004019720.tif 000003
【図２】
2004019720.tif 000004
【図３】
2004019720.tif 000005